(57)【要約】【課題】簡易な構造で穿刺用器具を移動させて穿刺することができる穿刺用器具一体型のバイオセンサカートリッジを提供する。【解決手段】穿刺用器具２０のスライド方向を、バイオセンサチップ１１のバイオセンサ装置３０に対する挿入方向と交差する方向に設けたので、穿刺用器具２０をバイオセンサチップ１１の軸から離れた位置に設けることができる。これにより、穿刺用器具２０および穿刺用器具２０を駆動する機構２３を、バイオセンサ装置３０への接続部分１１ｄとは別位置にすることができ、簡易な構造で穿刺用器具２０を移動させて穿刺することができることになる。また、お年寄りや目が悪い使用者等が、バイオセンサチップ１１をバイオセンサ装置３０に挿入する際に、挿入方向を間違えるのを防止することができる。【選択図】図１
2008229068.tif 000002
【特許請求の範囲】
【請求項１】
先端部に試料を採取する試料採取口を有するバイオセンサチップと、前記バイオセンサチップに対してスライド移動する穿刺用器具とを有するバイオセンサカートリッジであって、
前記穿刺用器具のスライド方向が、前記バイオセンサチップのバイオセンサ装置に対する挿入方向と交差することを特徴とするバイオセンサカートリッジ。
【請求項２】
前記穿刺用器具が前記バイオセンサチップの一端部にスライド可能に取付けられ、他端部に前記バイオセンサチップを前記バイオセンサ装置に接続するための電極部が設けられていることを特徴とする請求項１に記載のバイオセンサカートリッジ。
【請求項３】
前記バイオセンサチップの形状が略Ｌ字型またはＴ字型であることを特徴とする請求項１または２に記載のバイオセンサカートリッジ。
【請求項４】
前記試料採取口が、前記穿刺用器具による穿刺位置近傍とすることを特徴とする請求項１〜３のいずれかに記載のバイオセンサカートリッジ。
【請求項５】
前記バイオセンサチップの先端部に設けられた試料採取口と前記穿刺用器具の先端との距離は、穿刺位置から流出する試料を前記試料採取口から確実に採取可能なように所定の範囲内の距離とすることを特徴とする請求項１〜４のいずれかに記載のバイオセンサカートリッジ。
【請求項６】
前記所定の範囲内の距離は、０．１ｍｍ〜１．０ｍｍの範囲であることを特徴とする請求項５に記載のバイオセンサカートリッジ。
【発明の詳細な説明】
【技術分野】
【０００１】
本発明は、例えばバイオセンサチップの中空反応部に収容した試薬を用いて化学物質の測定や分析を行うバイオセンサカートリッジに関するものである。
【背景技術】
【０００２】
従来より、例えば血液中のグルコースの濃度を検出するバイオセンサチップとランセットを一体化したバイオセンサが知られている（例えば特許文献１参照）。
図７（Ａ）は特許文献１に記載されているセンサの斜視図、図７（Ｂ）はセンサの分解斜視図である。図７に示すように、ランセット一体型のセンサ１００は、チップ本体１０１、ランセット１０３、保護カバー１０５を有している。チップ本体１０１は、カバー１０１ａと基板１０１ｂとを開閉可能に有しており、カバー１０１ａの内面には内部空間１０２が形成されている。内部空間１０２は、ランセット１０３を移動可能に収納できる形状をしている。
【０００３】
ランセット１０３の先端に設けられている針１０４は、ランセット１０３の移動に伴ってチップ本体１０１の内部空間１０２の前端部に形成されている開口部１０２ａから出没可能となっている。ランセット１０３は、チップ本体１０１の両側面を指によって押圧してランセット１０３の凸部１０３ａを押圧することにより、チップ本体１０１に固定可能となっており、この固定状態で穿刺を行う。保護カバー１０５は針１０４を挿嵌する管部１０５ａを有しており、針１０４の移動に伴って管部１０５ａもチップ本体１０１の内部に収納可能となっている。従って、使用前の状態では、保護カバー１０５を針１０４に被せて、針１０４を保護するとともに誤って使用者を傷付けないようにしている。なお、基板１０１ｂには、一対の電極端子１０６が設けられており、測定装置（図示省略）に電気的に接続できるようになっている。
【０００４】
従って、使用時には、保護カバー１０５を外して、ランセット１０３を押して針１０４をチップ本体１０１から突出させ、チップ本体１０１の両側面を指で押圧して針１０４を固定する。この状態で被検体を穿刺した後、針１０４をチップ本体１０１内部に収納し、チップ本体１０１の前端に設けられている開口部１０２ａを穿刺口に近づけて、流出した血液を採取する。
【特許文献１】国際公開第０２／０５６７６９号パンフレット
【発明の開示】
【発明が解決しようとする課題】
【０００５】
ところで、測定に当たって採取する採血量が多くなると、穿刺時の痛みが大きくなって使用者の負担が大きくなるため、採血量を微小にして使用者の負担を軽減することが望まれている。
また、前述した特許文献１に記載のランセット一体型センサ１００では、測定装置に挿入する際の取扱いを容易にするために、チップ本体１０１の長軸方向と平行に測定装置に挿入して通電する電極端子１０６が形成されていた。従って、穿刺方向とチップ本体１０１の挿入方向は同軸上にあり、穿刺用器具一体型測定装置を用いる場合には、従来の針一体型のバイオセンサを取付け固定し、電気的導通を保ちながら穿刺用器具のみを移動動作させることは困難であった。
【０００６】
本発明は、前述した問題点に鑑みてなされたものであり、その目的は、簡易な構造で穿刺用器具を移動させて穿刺することができる穿刺用器具一体型のバイオセンサカートリッジを提供することにある。
【課題を解決するための手段】
【０００７】
前述した目的を達成するために、本発明にかかる第１の特徴であるバイオセンサカートリッジは、先端部に試料を採取する試料採取口を有するバイオセンサチップと、前記バイオセンサチップに対してスライド移動する穿刺用器具とを有するバイオセンサカートリッジであって、前記穿刺用器具のスライド方向が、前記バイオセンサチップのバイオセンサ装置に対する挿入方向と交差するものである。
【０００８】
このように構成されたバイオセンサカートリッジにおいては、穿刺用器具のスライド方向を、バイオセンサチップのバイオセンサ装置に対する挿入方向と交差する方向に設けたので、穿刺用器具をバイオセンサチップの軸から離れた位置に設けることができる。これにより、穿刺用器具および穿刺用器具を駆動する機構を、バイオセンサ装置への接続部分とは別位置にすることができ、簡易な構造で穿刺用器具を移動させて穿刺することができることになる。また、お年寄りや目の悪い使用者等が、バイオセンサチップをバイオセンサ装置に挿入する際に、挿入方向を間違えるのを防止することができる。
【０００９】
また、本発明にかかる第２の特徴であるバイオセンサカートリッジは、上記本発明の第１の特徴において、前記穿刺用器具が前記バイオセンサチップの一端部にスライド可能に取付けられ、他端部に前記バイオセンサチップを前記バイオセンサ装置に接続するための電極部が設けられているものである。
【００１０】
このように構成されたバイオセンサカートリッジにおいては、例えば一端部である先端部に穿刺用器具を設け、他端部である後端部をバイオセンサ装置に取付けるようにすることができる。このため、穿刺用器具および穿刺用器具を駆動する機構を、バイオセンサ装置への接続部分とは別位置にすることができ、簡易な構造で穿刺用器具を移動させて穿刺することができることになる。
【００１１】
また、本発明にかかる第３の特徴であるバイオセンサカートリッジは、上記本発明の第１または第２の特徴において、前記バイオセンサチップの形状が略Ｌ字型またはＴ字型であるものである。
【００１２】
このように構成されたバイオセンサカートリッジにおいては、バイオセンサチップをＬ字形やＴ字型とすることにより、一辺をバイオセンサ装置への挿入方向とし、これに直交する他辺を穿刺用器具の移動方向とすることができる。この際、穿刺用器具のスライド長を長くとることができ、確実に穿刺することができる。
【００１３】
また、本発明にかかる第４の特徴であるバイオセンサカートリッジは、上記本発明の第１から第３のいずれかの特徴において、前記試料採取口が、前記穿刺用器具による穿刺位置近傍とするものである。
【００１４】
このように構成されたバイオセンサカートリッジにおいては、試料採取口の位置を穿刺位置に極めて近い位置（実質的にその距離がほぼ０とみなされる位置）、即ち穿刺位置近傍とするので、穿刺位置から流出する試料を試料採取口から確実に採取することができる。例えば、バイオセンサチップの先端の角部に試料採取口を設けることにより、穿刺位置に近付けることができる。
【００１５】
また、本発明にかかる第５の特徴であるバイオセンサカートリッジは、上記本発明の第１から第４のいずれかの特徴において、前記バイオセンサチップの先端部に設けられた試料採取口と前記穿刺用器具の先端との距離は、穿刺位置から流出する試料を前記試料採取口から確実に採取可能なように所定の範囲内の距離とするものである。
さらに、本発明にかかる第６の特徴であるバイオセンサカートリッジは、前記所定の範囲内の距離は、０．１ｍｍ〜１．０ｍｍの範囲である。
【００１６】
このように構成されたバイオセンサカートリッジにおいては、試料採取口の位置を穿刺位置近傍とすることができるので、穿刺用器具によって穿刺され流出してきた試料を確実に採取することができる。これにより、採取する試料を少なくして穿刺時の痛みを軽減し、使用者の負担の軽減が期待される。
【発明の効果】
【００１７】
本発明によれば、穿刺用器具のスライド方向を、バイオセンサチップのバイオセンサ装置に対する挿入方向と交差する方向に設けたので、穿刺用器具をバイオセンサチップの軸から離れた位置に設けることができる。これにより、穿刺用器具および穿刺用器具を駆動する機構を、バイオセンサ装置への接続部分とは別位置にすることができ、簡易な構造で穿刺用器具を移動させて穿刺することができるという効果が得られる。
【発明を実施するための最良の形態】
【００１８】
以下、本発明に係る第１実施形態を図面に基づいて詳細に説明する。
今回開示された実施の形態はすべての点で例示であって制限的なものではないと考えられるべきである。本発明の範囲は、上記した意味ではなく、特許請求の範囲によって示され、特許請求の範囲と均等の意味及び範囲内でのすべての変更が含まれることが意図される。
図１は本発明のバイオセンサカートリッジに係る実施形態を示す斜視図、図２（Ａ）はバイオセンサチップの正面図、図２（Ｂ）は図２（Ａ）中Ｂ方向から見たバイオセンサチップの側面図、図２（Ｃ）は図２（Ａ）中Ｃ方向から見たバイオセンサチップの前端面図、図３はバイオセンサ装置の構成図、図４（Ａ）〜（Ｃ）は試料採取動作の各段階を示す斜視図である。
【００１９】
図１に示すように、本発明の実施形態に係るバイオセンサカートリッジ１０は、先端部１１ａに試料である例えば血液Ｂ（図４参照）を採取する試料採取口１２を有するバイオセンサチップ１１と、このバイオセンサチップ１１に対してスライド移動する穿刺用器具２０とを有している。そして、穿刺用器具２０のスライド方向（矢印Ａ）が、バイオセンサチップ１１のバイオセンサ装置３０に対する挿入方向（矢印Ｂ）と交差するものである。
なお、本発明において、穿刺用器具２０とは、針、ランセット針、カニューレ等を総称し、生分解性の材料で構成されていることが望ましい。
【００２０】
図１および図２（Ａ）〜（Ｃ）に示すように、バイオセンサチップ１１は例えば全体矩形状をしており、互いに対向する２枚の基板１３ａ、１３ｂと、この２枚の基板１３ａ、１３ｂ間に挟装されるスペーサ層１４を有している。２枚の基板１３ａ、１３ｂの少なくとも１枚の基板１３ａのスペーサ層１４側の表面には、下辺近傍に沿って検知用電極１５ａ、１５ｂが所定間隔を保持して平行に設けられている。検知用電極１５ａ、１５ｂの先端部（図１（Ａ）において左端部）は、下角部に対して対向する方向へ折曲げられており、両検知用電極１５ａ、１５ｂは所定間隔を保持している。
【００２１】
バイオセンサチップ１１の先端部１１ａの下角部から、２つの検知用電極１５ａ、１５ｂが対向している部分にかけて、例えば右上方４５度に向かって、２枚の基板１３ａ、１３ｂ及びスペーサ層１４により中空反応部１６が形成されている。この中空反応部１６の先端、すなわちバイオセンサチップ１１の先端下角部には、検体Ｍ（図４参照）に穿刺用器具２０を穿刺して採取した血液Ｂを中空反応部１５に導入する試料採取口１２が設けられている。
【００２２】
すなわち、中空反応部１６は、左右両側を基板１３ａ、１３ｂおよび検知用電極１５ａ、１５ｂにより形成され、所定の形状に切りかかれたスペーサ層１４を上下面として矩形状の空間が形成されている。このため、中空反応部１６においては、検知用電極１５ａ、１５ｂは露出しており、中空反応部１６における検知用電極１５ａ、１５ｂの直上或いは近傍に、例えば酵素とメディエータを固定化し血液中のグルコースと反応して電流を発生する試薬１７が設けられている。従って、中空反応部１６は、試料採取口１２から採取された血液Ｂが、試薬１７と生化学反応する部分となる。
なお、試薬１７としては、グルコースオキシダーゼ（ＧＯＤ）やグルコースデヒドロゲナーゼ（ＧＤＨ）、コレステロールオキシダーゼ、ウリカーゼ等の酵素と電子受容体が例示される。例えば、血液中のグルコース量を測定するグルコースバイオセンサチップの場合は、この部分に、グルコースオキシダーゼ層やグルコースオキシダーゼ−電子受容体（メディエータ）混合物層、グルコースオキシダーゼ−アルブミン混合物層、又はグルコースオキシダーゼ−電子受容体−アルブミン混合物層等が形成される。グルコースオキシダーゼ以外の酵素、例えばグルコースデヒドロゲナーゼ等を用い、これらの層が形成される場合もある。又、添加剤として緩衝剤や親水性高分子等を薬剤中に含めても良い。
【００２３】
なお、試料採取口１２は、穿刺用器具２０による穿刺位置に向かって設けるのが望ましい。バイオセンサチップ１１の先端部１１ａの角部に試料採取口１２を設けることにより、この試料採取口１２の位置を穿刺位置に極めて近い位置（実質的にその距離がほぼ０とみなされるような近い位置）とすることができる。このように、試料採取口１２と穿刺用器具２０の先端との距離は、穿刺位置から流出する血液（試料）を試料採取口１２から確実に採取可能なように所定の範囲内の距離とすることが望ましい。
上記所定の範囲内の距離は、０．１ｍｍ〜１．０ｍｍの範囲であることが望ましい。
なお、０．２ｍｍ〜０．９ｍｍの範囲がより好ましい。０．５ｍｍ〜０．７ｍｍの範囲がさらにより好ましく、確実に採取可能である。
これにより、穿刺位置から流出する血液Ｂを試料採取口１２から確実に採取することができ、採取する血液Ｂを少なくして穿刺時の痛みを軽減し、使用者の負担を軽減することができる。
【００２４】
また、穿刺用器具２０がバイオセンサチップ１１の一端部である先端部１１ａにスライド可能に取付けられ、他端部である後端部１１ｂにバイオセンサチップ１１をバイオセンサ装置３０に接続するための電極部１５ｃ、１５ｄが設けられるのが望ましい。
【００２５】
すなわち、バイオセンサチップ１１の後端部１１ｂ（図１において右端部）では、検知用電極１５ａ、１５ｂが設けられている基板１３ａが基板１３ｂおよびスペーサ層１４から突出しており、バイオセンサ装置３０と電気的に接続するために両検知用電極１５ａ、１５ｂの電極部１５ｃ、１５ｄが露出している。
【００２６】
また、穿刺用器具２０は支持ブロック２１の下端から下方へ突出して取付けられており、支持ブロック２１はバイオセンサチップ１１の先端面に沿って上下方向へ移動可能に支持する摺動部２２が設けられている。また、支持ブロック２１は上面２１ａがバネ２３を介してバイオセンサ装置３０（図３参照）に取付けられており、穿刺用器具２０はバネ２３によって下方へ付勢されている。従って、支持ブロック２１をバネ２３の付勢力に反して上昇させ、係止手段（図示省略）によって係止した後、係止手段を解放することにより、バネ２３の付勢力によって穿刺用器具２０を下降させて検体Ｍを穿刺することになる。
【００２７】
従って、例えばバイオセンサチップ１１の先端部１１ａに穿刺用器具２０を設け、バイオセンサチップ１１の後端部１１ｂをバイオセンサ装置３０に取付けるようにすることにより、穿刺用器具２０および穿刺用器具２０を駆動する機構であるバネ２３を、バイオセンサ装置３０への接続部分となる電極部１５ｃ、１５ｄとは別位置にすることができる。このため、簡易な構造で穿刺用器具２０を移動させて穿刺することが可能になる。
【００２８】
次に、本発明に係るバイオセンサ装置について説明する。図３には、上述したバイオセンサカートリッジ１０を用いたバイオセンサ装置３０の構成が示されている。
図３に示すように、バイオセンサ装置３０は、前述したバイオセンサカートリッジ１０と、このバイオセンサカートリッジ１０の検知用電極１５ａ、１５ｂに接続して採取された血液の情報を得る測定器３１および保護キャップ３６とを有している。なお、バイオセンサカートリッジ１０の構成については上述したとおりであり、前述したバイオセンサカートリッジ１０と共通する部位には同じ符号を付すこととして、その説明はここでは省略する。
【００２９】
測定器３１は電源３２、制御装置３３、端子挿入部３４、表示部３５を備え、これらが互いに接続されている。端子挿入部３４にはバイオセンサカートリッジ１０におけるバイオセンサチップ１１の後端部１１ｂが挿入されて固定されるとともに、バイオセンサチップ本体１１の後端部１１ｂに露出している検知用電極１５ａ、１５ｂの電極部１５ｃ、１５ｄが電気的に接続されるようになっている。また、穿刺用器具２０が取付けられている支持ブロック２１を上方で係止する係止手段（図示省略）を解除して、バネ２３の作用によって穿刺用器具２０を下方へスライドさせて穿刺するための解除ボタン（図示省略）が設けられている。このバイオセンサ装置３０は、小型であり、例えば、使用者が片手で持つとともに、解除ボタンを作動させ、穿刺および血液Ｂの採取を行うことが可能なハンディタイプである。また、ここでは図示はしないが、血液Ｂを吸引するための吸引装置をバイオセンサ装置３０の内部に設けることも可能である。
【００３０】
次に、図４（Ａ）〜（Ｃ）に基づいて、本発明に係るバイオセンサカートリッジによる穿刺・試料採取動作について説明する。
まず、図４（Ａ）に示すように、穿刺用器具２０が取付けられている支持ブロック２１をバネ２３の反発力に抗して上方へ移動させて係止手段により係止しておく。この状態で、バイオセンサチップ１１の先端部１１ａに設けられている試料採取口１２を検体Ｍの穿刺位置の近傍に位置決めする。次いで、図４（Ｂ）に示すように、係止手段を解除し、バネ２３の復元力によって穿刺用器具２０を下降させて、検体Ｍを穿刺する。このとき、支持ブロック２１および穿刺用器具２０は、バネ２３の中立位置を超えて下降しており、バネ２３を伸ばした状態となっているので、穿刺後、図４（Ｃ）に示すように、バネ２３の収縮力によって穿刺用器具２０は検体Ｍから引き抜かれて上昇する。そして、穿刺位置から流出した血液Ｂは、穿刺位置の近傍に位置決めされている試料採取口１２から採取されて中空反応部１６に導かれ、試薬１７と反応することになる。バイオセンサ装置３０では、検知用電極１５ａ、１５ｂを介して電気的変化を検出し、所定の測定を行う。
【００３１】
以上、説明したように、本発明に係るバイオセンサカートリッジ１０によれば、穿刺用器具２０のスライド方向を、バイオセンサチップ１１のバイオセンサ装置３０に対する挿入方向と交差する方向に設けたので、穿刺用器具２０をバイオセンサチップ１１の軸から離れた位置に設けることができる。これにより、穿刺用器具２０および穿刺用器具２０を駆動するバネ２３を、バイオセンサ装置３０への接続部分とは別位置にすることができ、簡易な構造で穿刺用器具２０を移動させて穿刺することができる。
【００３２】
次に、本発明に係る第２実施形態について説明する。図５（Ａ）および（Ｂ）には、第２実施形態に係るバイオセンサカートリッジ１０Ｂが示されている。なお、前述した第１実施形態と共通する部位には同じ符号を付して、重複する説明を省略することとする。
図５（Ａ）に示すように、このバイオセンサカートリッジ１０Ｂでは、バイオセンサチップ１１Ｂが全体Ｌ字型をしており、水平部１１ｄが垂直部１１ｃの下端部に位置するようにしている。すなわち、前述した第１実施形態に係るバイオセンサカートリッジ１０に用いられている矩形のバイオセンサチップ１１において、先端部１１ａを上方へ延長したような形状となっている。従って、垂直部１１ｃの前端面角部に試料採取口１２が設けられるとともに、試料採取口１２に連続して中空反応部１６が設けられることになる。
【００３３】
以上、説明したように、本発明に係るバイオセンサカートリッジ１０Ｂによれば、バイオセンサチップ１１ＢをＬ字形とすることにより、水平部１１ｄに沿った一辺をバイオセンサ装置３０への挿入方向とし、これに直交する垂直部１１ｃに沿った他辺を穿刺用器具２０の移動方向とすることができる。これにより、穿刺用器具２０のスライド長を長くとることができるので、穿刺位置を正確に穿刺することができる。
なお、図５（Ｂ）に示すように、Ｌ字型のバイオセンサチップ１１Ｂを図５（Ａ）で示したのと反対向きで用いることもできる。すなわち、水平部１１ｄを垂直部１１ｃの上端に位置するように用いる。この場合でも、同様の作用効果を得ることができるが、検知用電極１５ａ、１５ｂは、中空反応部１６から垂直部１１ｃに沿って一旦上昇し、その後直角に屈曲して水平部１１ｄに沿って後方に導くようにする。
【００３４】
次に、本発明に係る第３実施形態について説明する。図６には、第３実施形態に係るバイオセンサカートリッジ１０Ｃが示されている。なお、前述した第１および第２実施形態と共通する部位には同じ符号を付して、重複する説明を省略することとする。
図６に示すように、このバイオセンサカートリッジ１０Ｃでは、バイオセンサチップ１１Ｃが全体Ｔ字型をしており、水平部１１ｄが垂直部１１ｃの中央部分に位置するようにしている。すなわち、前述した第１実施形態に係るバイオセンサカートリッジ１０に用いられている矩形のバイオセンサチップ１１において、先端部１１ａを上下両方向へ延長したような形状となっている。従って、垂直部１１ｃの前端面角部に試料採取口１２が設けられるとともに、試料採取口１２に連続して中空反応部１６が設けられることになる。また、検知用電極１５ａ、１５ｂは、中空反応部１６から垂直部１１ｃに沿って一旦上昇し、９０度屈曲して水平部１１ｄに沿って後方に導くようにする。
【００３５】
以上、説明したように、本発明に係るバイオセンサカートリッジ１０Ｃによれば、バイオセンサチップ１１ＣをＴ字形とすることにより、水平部１１ｄに沿った一辺をバイオセンサ装置３０への挿入方向とし、これに直交する垂直部１１ｃに沿った他辺を穿刺用器具２０の移動方向とすることができる。これにより、穿刺用器具２０のスライド長を長くとることができるので、穿刺位置を正確に穿刺することができる。
【００３６】
なお、本発明のバイオセンサカートリッジは、前述した各実施形態に限定されるものでなく、適宜な変形，改良等が可能である。
例えば、前述した各実施形態において、穿刺用器具２０のスライド方向を、バイオセンサチップ１１の挿入方向と直交する場合について説明したが、直交に限らず、所定以上の角度（最大が９０度）を有するようにすることができる。
また、前述した各実施形態において、穿刺用器具２０を移動させる手段としてバネ２３を用いた場合を例示したが、バネ以外にモーターを用いることも可能である。
【産業上の利用可能性】
【００３７】
以上のように、本発明に係るバイオセンサカートリッジは、穿刺用器具のスライド方向を、バイオセンサチップのバイオセンサ装置に対する挿入方向と交差する方向に設けたので、穿刺用器具をバイオセンサチップの軸から離れた位置に設けることができる。これにより、穿刺用器具および穿刺用器具を駆動する機構を、バイオセンサ装置への接続部分とは別位置にすることができ、簡易な構造で穿刺用器具を移動させて穿刺することができるという効果を有し、バイオセンサチップの中空反応部に収容した試薬を用いて化学物質の測定や分析を行うバイオセンサカートリッジ等として有用である。
【図面の簡単な説明】
【００３８】
【図１】本発明のバイオセンサカートリッジに係る第１実施形態を示す斜視図である。
【図２】（Ａ）はバイオセンサチップの正面図である。  （Ｂ）は図２（Ａ）中Ｂ方向から見たバイオセンサチップの側面図である。  （Ｃ）は図２（Ａ）中Ｃ方向から見たバイオセンサチップの前端面図である。
【図３】バイオセンサ装置の構成図である。
【図４】（Ａ）〜（Ｃ）は本発明のバイオセンサカートリッジを装着したバイオセンサ装置による試料採取動作の各段階を示す斜視図である。
【図５】（Ａ）は本発明のバイオセンサカートリッジに係る第２実施形態を示す斜視図である。  （Ｂ）は本発明のバイオセンサカートリッジに係る第２実施形態の変形例を示す斜視図である。
【図６】本発明のバイオセンサカートリッジに係る第３実施形態を示す斜視図である。
【図７】（Ａ）は従来のバイオセンサチップを示す斜視図である。  （Ｂ）は従来のバイオセンサチップを示す分解斜視図である。
【符号の説明】
【００３９】
１０  バイオセンサカートリッジ
１１  バイオセンサチップ
１１ａ  先端部
１２  試料採取口
１５ｃ、１５ｄ  電極部
２０  穿刺用器具
３０  バイオセンサ装置
Ｂ  血液（試料）
【図１】
2008229068.tif 000003
【図２】
2008229068.tif 000004
【図３】
2008229068.tif 000005
【図４】
2008229068.tif 000006
【図５】
2008229068.tif 000007
【図６】
2008229068.tif 000008
【図７】
2008229068.tif 000009